(57)【要約】      （修正有）【課題】紡績ユニットへの圧縮空気および／またはサクション空気のエネルギ効率のよい供給を可能にする紡績機を提供する。【解決手段】本発明は、複数の紡績ユニットを備えた紡績機であって、紡績ユニットに圧縮空気および／またはサクション空気を提供するための空気流供給ユニット２と、複数の紡績ユニットに沿って延びる、紡績ユニットにおいてドラフト装置を着脱可能に配置するためのドラフト装置支持体と３を備えた、紡績機。紡績ユニットへの圧縮空気および／またはサクション空気のエネルギ効率のよい供給を可能にする紡績機を提供するために、ドラフト装置支持体が、空気流供給ユニットに流れ接続している長手方向に敷設された管体として形成されていて、管体が、個別の紡績ユニットに対応配置された接続開口を有している。【選択図】図１
2020204135.tif 000002
【特許請求の範囲】
【請求項１】
複数の紡績ユニット（１）を備えた紡績機であって、
−前記紡績ユニット（１）に圧縮空気および／またはサクション空気を提供するための空気流供給ユニット（２）と、
−前記紡績ユニット（１）に沿って延びていて、前記紡績ユニット（１）においてドラフト装置（７）を着脱可能に配置するためのドラフト装置支持体（３）と
を備えた、紡績機において、
前記ドラフト装置支持体（３）が、前記空気流供給ユニット（２）に通流接続している長手方向に敷設された管体（４）として形成されていて、該管体（４）が、個別の前記紡績ユニット（１）に対応配置された接続開口（５）を有していることを特徴とする、紡績機。
【請求項２】
前記管体（４）および／または長手方向通路（１０）が、円形の横断面を有している、請求項１記載の紡績機。
【請求項３】
前記空気供給ユニット（２）に接続された空気流制御装置（１２）が設けられている、請求項１または２記載の紡績機。
【請求項４】
前記空気流制御装置（１２）が、紡績機制御ユニットのケーシング内に配置されている、請求項３記載の紡績機。
【請求項５】
前記空気流制御装置（１２）が、長手方向に敷設された前記管体（４）の長手方向軸線の方向で、または長手方向に敷設された前記管体（４）の１つの区分に配置されている、請求項３または４記載の紡績機。
【請求項６】
前記管体（４）が、特に別の管体（４）に接続するために多部分から形成されている、請求項１から５までのいずれか1項記載の紡績機。
【請求項７】
前記接続開口（５）が、１つの接続管路に接続されており、特に前記紡績ユニット（１）、特に前記ドラフト装置（７）を前記管体（４）に流れ的に気密に接続するためのフレキシブルな接続管路に接続されている、請求項１から６までのいずれか1項記載の紡績機。
【請求項８】
前記接続開口（５）が、該接続開口（５）を通過する前記空気流を制御するための手段を備えて構成されている、請求項１から７までのいずれか1項記載の紡績機。
【発明の詳細な説明】
【技術分野】
【０００１】
本発明は、複数の紡績ユニットを備えた紡績機であって、
−紡績ユニットに圧縮空気および／またはサクション空気を提供するための空気流供給ユニットと、
−複数の紡績ユニットに沿って延びていて、紡績ユニットにおいてドラフト装置を着脱可能に配置するためのドラフト装置支持体と
を備えた、紡績機に関する。
【０００２】
冒頭で述べた形式の紡績機は、同じ種類の複数の紡績ユニットを有している。これらの紡績ユニットは、特に、その種々異なるプロセスのために、少なくとも一時的にサクション空気および／または圧縮空気を必要とする。サクション空気および／または圧縮空気は通常、紡績機の１つまたは複数の空気流供給ユニットにより提供される。一般性を制限することなしに簡単にするために、以下で本出願の枠内では唯１つの空気流供給ユニットのみに言及する。
【０００３】
紡績機において、サクション空気は一般的にたとえば糸捕捉ノズルおよびクリーニングノズルのために使用される。糸捕捉ノズルおよびクリーニングノズルは、紡績プロセス中に、一方ではほどけた粒子のクリーニングを引き起こし、他方では特定の糸破断時に下糸を捕捉する安全性機能を実施する。つまり糸捕捉ノズルおよびクリーニングノズルには、少なくとも通常の運転中に連続的にサクション空気が供給される。同様に、たとえばオープンエンド紡績機のロータカップにも、通常の紡績運転中に、あるいはまた糸継ぎ中にサクション空気が供給される。
【０００４】
特定の紡績機タイプ、特に、スライバ状の繊維材料からの糸の製造が空気ノズルにより渦動室内に形成された渦動空気流によって行われる空気紡績機では、ドラフト装置が、スライバ状の繊維材料のための供給装置として働く。空気紡績機の場合、ドラフト装置は紡績ノズルに紡績方向で前置されていて、繊維材料は、ドラフト装置の出口ローラ対により紡績ノズルの入口開口の方向に送られ、この紡績ノズルにより負圧によって吸い込まれる。
【０００５】
紡績機、もしくは場合によっては使用されるドラフト装置を含む紡績機の作業機構に連続的にサクション空気および／または圧縮空気を供給することは、製造すべき糸の同一の品質にとって重要である。しかし、長く、特に曲げられて延びる管路経路に基づいて、現在は、紡績機の円滑な運転のために必要となる圧縮空気および／またはサクション空気を提供するために高いエネルギ需要を有する空気流供給ユニットを使用することが必要であり、特に曲げられた管路および屈曲されて延びる分岐部は空気流に不都合な形式で影響を与える。
【０００６】
これを起点として、本発明の根底を成す課題は、紡績ユニットへの圧縮空気および／またはサクション空気のエネルギ効率のよい供給を可能にする紡績機を提供することにある。
【０００７】
本発明は、この課題を請求項１に記載の特徴を備えた紡績機により解決する。本発明の有利な変化形は、従属請求項２から７に記載されている。
【０００８】
本発明に係る紡績機にとって特徴的であるのは、ドラフト装置支持体が、空気流供給ユニットに通流接続している長手方向に敷設された（laengskanalisierter）管体として形成されていて、管体が、個別の紡績ユニットに対応配置された接続開口を有していることである。
【０００９】
複数の紡績ユニットに沿って延び、紡績ユニットにおいてドラフト装置を着脱可能に収容するために形成されているドラフト装置支持体は、本発明によれば、長手方向に敷設された管体として形成されているので、この管体を通じて、圧縮空気および／またはサクション空気を個別の紡績ユニット、特にドラフト装置に案内することができる。このためには、管体は、空気流供給ユニットに流れ密に接続されているので、空気流供給ユニットにより提供された圧縮空気および／またはサクション空気は、直接に管体の長手方向通路内に案内される。個別の紡績ユニットに圧縮空気および／またはサクション空気を提供するために、管体は、紡績ユニットの領域において個別の接続開口を有している。これらの接続開口を介して、紡績ユニットおよび／またはドラフト装置に、圧縮空気および／サクション空気を供給することができる。
【００１０】
長手方向に敷設された管体としてのドラフト装置支持体の本発明による構成により、この管体は、紡績ユニットにおけるドラフト装置の着脱可能な配置のためにも、紡績ユニット、特にドラフト装置への圧縮空気および／またはサクション空気のエネルギ効率的な供給のためにも使用することができる。圧縮空気および／またはサクション空気のエネルギ効率的な供給にとって、ドラフト装置支持体が屈曲された管路ガイドによる空気流の変向なしに長手方向軸線に沿ってかつ複数の紡績ユニットに沿って不変に延びているという状態は特に有利である。したがって、特に屈曲部を有する管路ガイドによる乱流に基づく圧力損失もしくは流れ減少は信頼性よく阻止される。なぜならば、空気流は、紡績ユニットに沿って直線状に管体内で流れ、この管体において空気流は個別の紡績ユニットに提供されるからである。
【００１１】
紡績ユニットに圧縮空気および／またはサクション空気を供給するためのドラフト装置支持体の本発明による使用は、先行技術から公知の、複数回分岐されている管路の使用を省略することを可能にし、これにより、先行技術から公知の紡績機に比べて空気流供給ユニットを小さなエネルギ消費で使用することができる。さらに、長手方向軸線方向に延びる管体は、管体内における汚れの堆積を阻止する。汚れは、通常、屈曲された管路の屈曲部の領域においてのみ堆積する。さらに、紡績ユニットへの圧縮空気および／またはサクション空気の供給管路としてドラフト装置支持体を使用することは、付加的な管路を省略することを可能にする。ドラフト装置支持体は、本発明によれば二重機能を果たす。ドラフト装置支持体は、ドラフト装置の着脱可能な配置と、紡績ユニットへの圧縮空気および／またはサクション空気の供給とのために働く。
【００１２】
管体の外形ならびに長手方向通路の横断面は、基本的に自由に選択可能である。したがって、管体の外形は、ドラフト装置の配置に適合されていてよく、これに対して長手方向通路の横断面は、最適な圧縮空気案内および／またはサクション空気案内に適合されていてよい。しかし、本発明の特に有利な構成によれば、管体および／または長手方向通路が円形の横断面を有していることが規定されている。特に円形の横断面を備えた管体および長手方向通路の構成は、管体としてのドラフト装置支持体の特に簡単かつ廉価な製造を可能にする。管体の外面の円形の構成は、ドラフト装置を対応する収容部により管体を中心として取出し位置から組付け位置へと旋回させることを可能にする。長手方向通路の円形の横断面は、管体の内部の特に良好な空気流を保証する。
【００１３】
圧力制御もしくは体積流量制御は、基本的には、直接に空気流供給ユニットにおいて行うことができる。しかし本発明の特に有利な構成によれば、空気流供給ユニットに接続された空気流制御装置が設けられている。別個の空気流制御装置の使用は、この空気流制御装置を、機械オペレータにとって良好にアクセス可能な領域に配置することを可能にする。したがって、空気流供給ユニットの圧力および体積流量の適合は、快適な形式で空気供給ユニットへの直接的なアクセスなしに実施することができる。さらに、管体の長手方向に敷設された構成は、好適な形式で管体の長手方向軸線に沿った、または長手方向に敷設された管体の１つの区分における空気流制御装置の配置を可能にする。これにより、空気流供給ユニットと、空気流経路内で後置された第１の接続開口との間の空気流経路内に空気流制御装置を組み込むために、さもなければ必要となる屈曲部または分岐部を省略することができる。
【００１４】
本発明の特に有利な構成によれば、空気流制御装置が、紡績機制御ユニットのケーシング内に配置されていることが規定されている。紡績機の全紡績ユニットの制御を行う紡績機制御ユニットにおける空気流制御装置の配置は、空気流制御ユニットに接続された空気流制御装置のための別個のケーシングを省略することを可能にする。したがって、紡績機制御ユニットにおいて、機械オペレータにより紡績機の調節も、空気流供給ユニットの調節も実施することができる。
【００１５】
基本的には、ドラフト装置支持体は、一体的な管体として形成されていてよい。しかし、本発明の特に有利な構成によれば、管体が、特に別の管体に接続するために多部分から形成されていることが規定されている。本発明のこの構成は、紡績機の長さへの管体の最適な適合を可能にする。特に、種々異なる長さの互いに結合可能な管体が利用可能である場合、管体は、最適な形式で紡績機の紡績ユニットの個数もしくは規定された個数の紡績ユニットを有する紡績ユニットセグメントに適合される。管体の結合は、たとえば適切なねじ結合部、クランプ結合部、差込み結合部または係止結合部により行うことができる。
【００１６】
本発明によれば、管体は、個別の紡績ユニットに対応配置された接続開口を有している。これらの接続開口を介して、紡績ユニットに圧縮空気および／またはサクション空気を提供することができる。特に有利な構成によれば、接続開口は、接続管路に接続されており、特に紡績ユニット、特にドラフト装置を管体に流れ的に気密に接続するためのフレキシブルな接続管路に接続されていることが規定されている。接続開口における接続管路の配置、特にフレキシブルな接続管路の配置は、紡績ユニット、特に直接に管体に配置されるドラフト装置の特に迅速かつ簡単な接続を可能にする。フレキシブルな接続管路を介して、特に紡績ユニットおよび／またはドラフト装置に対する接続開口の位置決め精度を補償することができる。
【００１７】
本発明の別の構成によれば、さらに、接続開口が、この接続開口を通過する空気流を制御するための手段を備えて構成されていることが規定されている。本発明のこの構成によれば、個別の接続開口に提供された圧縮空気および／またはサクション空気を個別にこの手段を介して制御する可能性が生じる。この手段は、たとえば体積流量を制限する調節可能な絞りまたはスライダ（Schieberegler）であってよい。この構成は、個別の紡績ユニットに提供されるサクション空気および／または圧縮空気の個別かつ最適な適合を可能にする。
【００１８】
本発明の実施例を以下に図面に関して説明する。
【図面の簡単な説明】
【００１９】
【図１】管体として形成されたドラフト装置支持体に接続された空気流供給ユニットの原理図である。
【図２】ドラフト装置支持体に配置されたドラフト装置を備えた紡績ユニットの斜視図である。
【００２０】
図１には、複数の紡績ユニット１を有する繊維機械の空気流供給路が概略図で図示されている。圧縮空気および／またはサクション空気であってよいこの空気流１３の源は、空気流供給ユニット２により構成される。空気流供給ユニット２は、空気流制御装置１２を介して管体４として形成されたドラフト装置支持体３に接続されている。紡績機ユニットの接続のために、特に空気流供給ユニットにドラフト装置７を接続するために、管体４は、接続開口５を備えた、互いから離間して配置された接続管片１１を有している。管体４を通って案内された空気流１３は、必要に応じて接続管片１１を介して給気することができる。
【００２１】
管体４として形成されたドラフト装置支持体３は、空気流１３の案内の他に、さらに、空気紡績機６の１つの紡績ユニット１におけるドラフト装置７の着脱可能な配置のために役立つ。ドラフト装置７の支持フレーム８は、このためには切欠き９を有している。切欠き９は、管体４の外径に適合されている。把持エレメント１４として形成されたハンドグリップは、ドラフト装置のボトムローラに対するトップローラの移動を容易にし、かつロックされた状態において管体４を中心としたドラフト装置の旋回を容易にする。ドラフト装置支持体３の管体４の内部は、空気流１３を案内するための長手方向通路１０を形成する。空気流１３は、接続管片１１の接続開口５を介して必要に応じて取り出すことができる（図２を参照）。
【符号の説明】
【００２２】
１  紡績ユニット
２  空気流供給ユニット
３  ドラフト装置支持体
４  管体
５  接続開口
６  空気紡績機
７  ドラフト装置
８  支持フレーム
９  切欠き
１０  長手方向通路
１１  接続管片
１２  空気流制御装置
１３  空気流
１４  把持エレメント
【図１】
2020204135.tif 000003
【図２】
2020204135.tif 000004
【外国語明細書】
2020204135.tif 000005
2020204135.tif 000006
2020204135.tif 000007
2020204135.tif 000008
2020204135.tif 000009
2020204135.tif 000010
2020204135.tif 000011
2020204135.tif 000012
2020204135.tif 000013
2020204135.tif 000014
2020204135.tif 000015
2020204135.tif 000016